(57)【特許請求の範囲】
【請求項１】
扱き処理物を漏下させる漏下用孔を備えた受網に、前記漏下用孔を形成した網面より扱胴に近接する方向に向けて、脱穀フィードチェーンによって挾持搬送される脱穀用穀稈に移動抵抗を与える弓金を立設するとともに、前記弓金を主弓金と入口側の補助弓金と反入口側の補助弓金に構成し、前記入口側の補助弓金を、前記主弓金に対して前記脱穀用穀稈が搬入される扱室の入口側の前記脱穀用穀稈の穂先部が位置する部位に設け、前記反入口側の補助弓金を、前記主弓金に対して前記入口側の補助弓金とは反対側の前記脱穀用穀稈の穂先部が位置する部位に設け、
前記入口側の補助弓金及び前記反入口側の補助弓金の前記脱穀用穀稈の稈身方向に沿った長さを、前記主弓金の前記脱穀用穀稈の稈身方向に沿った長さに比べて短くして、前記入口側の補助弓金及び前記反入口側の補助弓金の前記脱穀用穀稈の稈身方向での両端を、前記受網の前記脱穀用穀稈の稈身方向での両端から離間した前記受網の前記脱穀用穀稈の稈身方向での中間部に位置させてある脱穀装置。
【請求項２】
前記入口側の補助弓金及び前記反入口側の補助弓金の漏下面より立設する高さを、前記主弓金の漏下面より立設する高さに比べて低くしてある請求項１記載の脱穀装置。
【請求項３】
前記受網を、前記脱穀フィードチェーン側に位置する手前側受網部と前記脱穀フィードチェーンから離れる側に位置する奥側受網部とに二分割された分割構造に構成し、
前記主弓金を、前記手前側受網部に取付けられた手前側の主弓金と前記奥側受網部に取付けられた奥側の主弓金とに分割し、
前記入口側の補助弓金及び前記反入口側の補助弓金を、前記手前側受網部に取付けられた手前側の補助弓金と前記奥側受網部に取付けられた奥側の補助弓金とに分割してある請求項１又は２記載の脱穀装置。
【発明の詳細な説明】
【技術分野】
【０００１】
本発明は、脱穀フィードチェーンに挾持されて扱室内に投入されて移動しながら扱胴によって扱ぎ処理を受ける脱穀用穀稈に、移動抵抗を与える弓金を受網に備えている脱穀装置に関する。
【背景技術】
【０００２】
弓金は、フィードチェーンに挾持されて脱穀用穀稈の稈身方向に沿った方向に平行する状態で受網幅の略全長に亘る長さで設けてあり、その設ける位置もフィードチェーンに挾持されて脱穀用穀稈が搬送される受網の前後方向において、その受網の前後中間位置と後端位置とに設けてあった（特許文献１）。
【０００３】
【特許文献１】特開２００３−２５９７２０号公報（段落番号〔００２９〕、図２及び図４）。
【発明の開示】
【発明が解決しようとする課題】
【０００４】
上記した各弓金は受網幅の略全長に亘る長さで設けてあるので、脱穀フィードチェーンに挾持されて搬送される脱穀用穀稈における受網上に位置する稈身の全てに対して前記弓金が接触作用することとなる。
そうすると、受網上に位置する稈身に対して等しく移動抵抗を作用させるものであるが、扱き処理を受けて早期に単粒化が施されなければならない脱穀用穀稈の穂先部分での移動抵抗が十分でないことも想定されて、扱き処理が十分に行われないことも考えられた。
【０００５】
本発明の目的は、脱穀用穀稈の扱き処理を促進するとともに受網からの穀粒の漏下処理を促進できる脱穀装置を提供する点にある。
【課題を解決するための手段】
【０００６】
〔構成〕
請求項１に係る発明の特徴構成は、扱き処理物を漏下させる漏下用孔を備えた受網に、前記漏下用孔を形成した網面より扱胴に近接する方向に向けて、脱穀フィードチェーンによって挾持搬送される脱穀用穀稈に移動抵抗を与える弓金を立設するとともに、前記弓金を主弓金と入口側の補助弓金と反入口側の補助弓金に構成し、前記入口側の補助弓金を、前記主弓金に対して前記脱穀用穀稈が搬入される扱室の入口側の前記脱穀用穀稈の穂先部が位置する部位に設け、前記反入口側の補助弓金を、前記主弓金に対して前記入口側の補助弓金とは反対側の前記脱穀用穀稈の穂先部が位置する部位に設け、
前記入口側の補助弓金及び前記反入口側の補助弓金の前記脱穀用穀稈の稈身方向に沿った長さを、前記主弓金の前記脱穀用穀稈の稈身方向に沿った長さに比べて短くして、前記入口側の補助弓金及び前記反入口側の補助弓金の前記脱穀用穀稈の稈身方向での両端を、前記受網の前記脱穀用穀稈の稈身方向での両端から離間した前記受網の前記脱穀用穀稈の稈身方向での中間部に位置させてある点にあり、その作用効果は次の通りである。
【０００７】
〔作用〕
入口側の補助弓金の部位が、扱室の入口側でかつ脱穀用穀稈の穂先部になっているので、主弓金及び入口側の補助弓金により穂先部に早期に比較的大きな移動抵抗を与えて、この穂先部に解し作用を加えて、絡みあっている穂先部を解し処理して、穂先部の全般に対して余すことなく、扱き作用を加えるようにする。
長さの短い補助弓金を設けることによって、補助弓金が脱穀用穀稈に与える移動抵抗は、主弓金が脱穀用穀稈に与える移動抵抗に比べて小さなものとなるので、脱穀用穀稈に過度の抵抗を与えることとはならない。
そして、扱き処理を受けて単粒化された穀粒は、補助弓金に受け止められて漏下されるところから、主弓金に受止められて漏下されるだけの場合に比べて漏下が促進される。
【０００８】
〔効果〕
このように、主弓金及び入口側の補助弓金により脱穀用穀稈の穂先部に対して早期に比較的大きな処理抵抗を与えることができるので、扱き処理による単粒化を促進できる。
また、漏下が促進されることによって、扱室内に滞留する穀粒を少なくでき、滞留が長くなることによる単粒化後の穀粒に対する過度の揉み処理を施すことを回避できる。
【０００９】
請求項２に係る発明の特徴構成は、前記入口側の補助弓金及び前記反入口側の補助弓金の漏下面より立設する高さを、前記主弓金の漏下面より立設する高さに比べて低くしてある点にあり、その作用効果は次の通りである。
【００１０】
〔作用効果〕
入口側の補助弓金の部位が、扱室の入口側でかつ脱穀用穀稈の穂先部になっているので、主弓金及び入口側の補助弓金により穂先部に早期に比較的大きな移動抵抗を与えて、この穂先部に解し作用を加えて、絡みあっている穂先部を解し処理して、穂先部の全般に対して余すことなく、扱き作用を加えるようにする。
高さの低い補助弓金を設けることによって、補助弓金が脱穀用穀稈に与える移動抵抗は、主弓金が脱穀用穀稈に与える移動抵抗に比べて小さなものとなるので、脱穀用穀稈に過度の抵抗を与えることとはならない。
そして、扱き処理を受けて単粒化された穀粒は、補助弓金に受け止められて漏下されるところから、主弓金に受止められて漏下されるだけの場合に比べて漏下が促進される。
このように、主弓金及び入口側の補助弓金により脱穀用穀稈の穂先部に対して早期に比較的大きな処理抵抗を与えることができるので、扱き処理による単粒化を促進できる。
また、漏下が促進されることによって、扱室内に滞留する穀粒を少なくでき、滞留が長くなることによる単粒化後の穀粒に対する過度の揉み処理を施すことを回避できる。
【００１１】
請求項３に係る発明の特徴構成は、前記受網を前記脱穀フィードチェーン側に位置する手前側受網部と前記脱穀フィードチェーンから離れる側に位置する奥側受網部とに二分割された分割構造に構成し、前記主弓金を、前記手前側受網部に取付けられた手前側の主弓金と前記奥側受網部に取付けられた奥側の主弓金とに分割し、前記入口側の補助弓金及び前記反入口側の補助弓金を、前記手前側受網部に取付けられた手前側の補助弓金と前記奥側受網部に取付けられた奥側の補助弓金とに分割してある点にある。
【００１２】
【発明を実施するための最良の形態】
【００１３】
以下に、本発明の実施の形態の一例を図面に基づいて説明する。
〔全体の構成〕
図１および図２にコンバインに搭載された脱穀装置１を示している。この脱穀装置１は、その上部側に扱室Ａ、中間部側に選別装置Ｂ、下部側に回収装置Ｃを配設して構成している。脱穀装置１には、刈取処理された穀稈をフィードチェーン２で挟持搬送しながら扱処理する扱胴３を扱室Ａに軸架するとともに、扱処理された処理物を漏下させる受網５を扱胴３の下方側に配設している。選別装置Ｂには、受網５から漏下した処理物を受け止めるグレンパン６、このグレンパン６の後方に順に位置させたチャフシーブ７及びストローラック８、チャフシーブ７の下方に位置するグレンシーブ９を、前後揺動駆動される左右の枠板に架設するとともに、グレンパン６の下方側に唐箕１０を設けている。回収部Ｃには、グレンシーブ９の下方にグレンシーブ９からの漏化物を回収して横一側に横送りする一番物搬送スクリュー１１を配設するとともに、グレンシーブ９の上部後端、チャフシーブ７等からの漏化物（二番物）を回収して横一側に横送りする二番物横送り装置としての二番物搬送スクリュー１２を配設している。
二番物搬送スクリュー１２の搬送終端部には、二番物を選別装置Ｂへ還元するための二番物還元装置１３が連設され、この二番物還元装置１３によって二番物搬送スクリュー１２から選別装置Ｂへ二番物を還元搬送する還元用搬送経路が構成されている。
【００１４】
〔受網〕
図１および図２に示すように、受網５は、フィードチェーン２側に位置する手前側受網部５Ａとフィードチェーン２から離れる側に位置する奥側受網部５Ｂとの二分割構成されたものを結合して構成されている。両受網部５Ａ、５Ｂは扱き処理物を漏下させる漏下用孔５ｅを多数並列形成した鋼板製のものであり、周縁に枠部を配置し、その枠部を扱室Ａに設けた受枠上に載置するように構成してある。
【００１５】
両受網部５Ａ、５Ｂには、脱穀フィードチェーン２よって挾持搬送される脱穀用穀稈ａに移動抵抗を与える弓金１５を、漏下用孔５ｅを形成した網面より扱胴３に近接する方向に向けて、脱穀用穀稈ａの稈身方向に沿った状態で立設してある。
【００１６】
手前側受網部５Ａについて説明する。図２及び図３に示すように、手前側受網部５Ａは、３，２ｍｍ厚の鋼板に漏下用の角孔５ｅを多数形成したものであり、図３の二点鎖線で示す部分を折り返しその折り返し部分を枠として構成してある。フィードチェーン２側に位置する手前枠５ｃには扱室Ａ側の支持台に連結するための大小のボルト孔５ｆが形成してあり、奥側受網部５Ｂと連結するため奥側枠にはフランジ部５ａが形成してあり、連結用ピン１６を挿通するための連結用孔５ｇを形成してある。
【００１７】
弓金１５は、手前側受網部５Ａの脱穀用穀稈ａの稈身方向に沿った長さの略一杯に渡って設けてあるものを主弓金１５Ａとし、手前側受網部５Ａにおけるフィードチェーン２側より離れた端部からそのフィードチェーン２側に向けて短い長さで設けられているものを補助弓金１５Ｂとする。
【００１８】
図３及び図４に示すように、主弓金１５は、脱穀用穀稈ａの搬送方向二箇所に設けられているのに対して、補助弓金１５Ｂは主弓金１５Ａに対して、脱穀用穀稈ａが扱室Ａ内に搬入されることとなる扱室Ａの入口に近い側に位置する第１補助弓金１５Ｂａと、二つの主弓金１５Ａ、１５Ａの間に位置する第２補助弓金１５Ｂｂとで構成される。
補助弓金１５Ｂ（第１及び第２補助弓金１５Ｂａ，１５Ｂｂ）の漏下用の網面より立設する高さを、主弓金１５Ａの漏下用の網面より立設する高さに比べて低くしてある。
【００１９】
図３及び図４に示すように、一方、奥側受網部５Ｂも、略手前側受網部５Ａと同様に一枚の鋼板を折り曲げて形成してあり、手前側受網部５Ａとの連結フランジ部５ｂを左右反対側に位置するように勝手違いに構成するとともに、奥側の折り返し枠５ｄに支持台との連結用ボルト孔を形成してある。
【００２０】
図３及び図４に示すように、奥側受網部５Ｂにも、二つの主弓金１５Ａと二つの補助弓金１５Ｂが設けてあり、主弓金１５Ａは奥側受網部５Ｂの脱穀用穀稈ａの稈身方向に沿った長さの略一杯に渡って設けてあり、手前側受網部５Ａの主弓金１５Ａと同様である。一方、主弓金１５の両脇に補助弓金１５Ｂとしての第１、第２補助弓金１５Ｂａ、１５Ｂｂとが配置されている点、及び、補助弓金１５Ｂの網面からの高さが主弓金１５Ａの網面からの高さが低くなっている点において同様の構成であるが、この奥側受網部５Ｂにおいては、補助弓金１５Ｂの設置位置が、手前側受網部５Ａに近接するフィードチェーン２側に寄った状態で設置してある。
【００２１】
手前側受網部５Ａと奥側受網部５Ｂとは、脱穀用穀稈ａの稈身方向に沿った状態で隣接配置されるとともに、隣合う端部において連結用のブラケット５ａ、５ｂを夫々延出し、そのブラケット５ａ、５ｂ同士を位置決めピン１６を挿通して、連結状態での扱胴３に近接する半径方向での位置決めを維持する構成を採っている。
【００２２】
図３及び図４に示すように、以上のような構成になる手前側受網部５Ａと奥側受網部５Ｂとを所定位置に配置した場合には、主弓金１５Ａ、１５Ａと補助弓金１５Ｂ、１５Ｂとが、脱穀用穀稈ａの稈身方向に沿った平行な姿勢で位置することとなるとともに、補助弓金１５Ｂ、１５Ｂが手前側受網部５Ａと奥側受網部５Ｂとが隣接する端部に近接する状態で配置され、脱穀用穀稈ａとしてフィードチェーン２によって搬送される穀稈ａの穂先部分に対応する位置に位置することとなる。
【００２３】
以上のような構成によって、次ぎのようなことが言える。つまり、長さが短くかつ高さの低い第１補助弓金１５Ｂａを設けることによって、第１補助弓金１５Ｂａが脱穀用穀稈ａに与える移動抵抗は、主弓金１５Ａが脱穀用穀稈ａに与える移動抵抗に比べて小さなものとなるので、脱穀用穀稈ａに過度の抵抗を与えることとはならない。
【００２４】
第１補助弓金１５Ｂａの部位が、扱室Ａの入口側でかつ脱穀用穀稈ａの穂先部になっているので、主弓金１５Ａに接触する前に第１補助弓金Ｂａにより穂先部に予め適度な移動抵抗を与え、この後に主弓金１５Ａ及び第２補助弓金１５Ｂｂにより穂先部に早期に比較的大きな移動抵抗を与えて、この穂先部に解し作用を加えて、絡みあっている穂先部を解し処理して、穂先部の全般に対して余すことなく、扱き作用を加えるようにする。
【００２５】
扱き処理を受けて単粒化された穀粒は、第１補助弓金１５Ｂａに受け止められて漏下されるところから、主弓金１５Ａに受止められて漏下されるだけの場合に比べて漏下が促進される。
このように、主弓金１５Ａに接触させる前に第１補助弓金１５Ｂａによって脱穀用穀稈ａの穂先部に対して処理抵抗を与えることができる点、主弓金１５Ａ及び第２補助弓金１５Ｂｂにより脱穀用穀稈ａの穂先部に対して早期に比較的大きな処理抵抗を与えることができる点によって、扱き処理による単粒化を促進できる。
また、漏下が促進されることによって、扱室内に滞留する穀粒を少なくでき、滞留が長くなることによる単粒化後の穀粒に対する過度の揉み処理を施すことを回避できる。
【００２６】
〔発明の実施の別形態〕
（１）  第１、第２補助弓金１５Ｂａ、１５Ｂｂとしては、主弓金１５Ａに比べて短くて低いものに構成してあるが、主弓金１５Ａよりも短くて主弓金１５Ａと同じ高さのものであってもよい。
（２）  第１、第２補助弓金１５Ｂａ、１５Ｂｂとしては、同じ形状のものとしてあるが、主弓金１５Ａに対して短くて低いものであっても、異なる長さで異なる高さのものであってもよい。
【図面の簡単な説明】
【００２７】
【図１】脱穀選別部構造を示す縦断側面図
【図２】脱穀選別部を示す縦断正面図
【図３】手前側受網部とフィードチェーンから離れる側に位置する奥側受網部との組み付け前の状態を示す平面図
【図４】手前側受網部と奥側受網部とを組み付けた状態を示す斜視図
【符号の説明】
【００２８】
Ａ      扱室
Ｂ      選別装置
４      二番物還元装置
５ｅ 漏下用孔
５Ａ 手前側受網部
５Ｂ 奥側受網部
１２    二番物横送り装置
１４    回転羽根体
１８    処理ケース
１８Ａ  処理ケースの壁
３１    受け刃体
３１ａ  取付用の孔
３１ｂ  突起刃
４０    中間処理装置
【図１】
0004638799.tif 000002
【図２】
0004638799.tif 000003
【図３】
0004638799.tif 000004
【図４】
0004638799.tif 000005